(57)【要約】【課題】電解液を正極活物質層及び負極活物質層に効率良く含浸させることができる蓄電装置を提供すること。【解決手段】二次電池１０の負極電極２１において、負極金属箔２５を挟む第１負極活物質層２６ａと第２負極活物質層２６ｂは、上下方向Ｈの両端縁が相対的に上下方向Ｈへ位置ズレしている。また、正極電極２０において、正極金属箔２２を挟む第１正極活物質層２３ａと第２正極活物質層２３ｂは、上下方向Ｈの両端縁が相対的に上下方向Ｈへ位置ズレしている。【選択図】図３
2020087857.tif 000002
【特許請求の範囲】
【請求項１】
矩形シート状の負極集電体の両面に負極活物質層を有する負極電極と、矩形シート状の正極集電体の両面に正極活物質層を有する正極電極と、前記負極電極と前記正極電極とを絶縁するセパレータとをそれぞれ複数有し、
前記セパレータを挟んで前記負極電極と前記正極電極とが交互に積み重ねられた積層構造を有し、前記正極電極と前記負極電極の積層方向において前記正極活物質層の全面に前記負極活物質層が対向する電極組立体と、
前記電極組立体及び電解液を収容するとともに、前記電解液の注液口が設けられた上壁部を有するケースと、を有する蓄電装置であって、
前記負極集電体を挟む両方の前記負極活物質層における上下方向への寸法は同じであり、かつ前記正極集電体を挟む両方の前記正極活物質層における前記上下方向への寸法は同じであり、
前記負極集電体を挟む両方の負極活物質層における上下方向の両端縁が相対的に前記上下方向へ位置ズレしているとともに、
前記正極集電体を挟む両方の正極活物質層における上下方向の両端縁が相対的に前記上下方向へ位置ズレしていることを特徴とする蓄電装置。
【請求項２】
前記蓄電装置は二次電池である請求項１に記載の蓄電装置。
【発明の詳細な説明】
【技術分野】
【０００１】
本発明は、ケース内に電極組立体及び電解液を収容した蓄電装置に関する。
【背景技術】
【０００２】
電装品や走行用モータで使用される電力を蓄えるための蓄電装置として、リチウムイオン二次電池などの二次電池が、ＥＶ（Electric Vehicle）やＰＨＶ（Plug in Hybrid Vehicle）などの車両に搭載されている。二次電池は、正極金属箔の両面に正極活物質層を有する正極電極と、負極金属箔の両面に負極活物質層を有する負極電極とが両者の間を絶縁した状態で積層された電極組立体を備え、この電極組立体及び電解液はケース内に収容されている。また、二次電池は、ケースの上壁部に、ケース内に電解液を注入する注液口を備える（例えば、特許文献１参照）。
【先行技術文献】
【特許文献】
【０００３】
【特許文献１】特開２００３−２２９１１２号公報
【発明の概要】
【発明が解決しようとする課題】
【０００４】
ところで、二次電池の製造時、注液口から電解液をケース内に注入し、ケース内で電解液を正極活物質層及び負極活物質層に含浸させているが、この電解液を正極活物質層及び負極活物質層に含浸させるのに多くの時間が取られている。
【０００５】
本発明の目的は、電解液を正極活物質層及び負極活物質層に効率良く含浸させることができる蓄電装置を提供することにある。
【課題を解決するための手段】
【０００６】
上記問題点を解決するための蓄電装置は、矩形シート状の負極集電体の両面に負極活物質層を有する負極電極と、矩形シート状の正極集電体の両面に正極活物質層を有する正極電極と、前記負極電極と前記正極電極とを絶縁するセパレータとをそれぞれ複数有し、前記セパレータを挟んで前記負極電極と前記正極電極とが交互に積み重ねられた積層構造を有し、前記正極電極と前記負極電極の積層方向において前記正極活物質層の全面に前記負極活物質層が対向する電極組立体と、前記電極組立体及び電解液を収容するとともに、前記電解液の注液口が設けられた上壁部を有するケースと、を有する蓄電装置であって、前記負極集電体を挟む両方の前記負極活物質層における上下方向への寸法は同じであり、かつ前記正極集電体を挟む両方の前記正極活物質層における前記上下方向への寸法は同じであり、前記負極集電体を挟む両方の負極活物質層における上下方向の両端縁が相対的に前記上下方向へ位置ズレしているとともに、前記正極集電体を挟む両方の正極活物質層における上下方向の両端縁が相対的に前記上下方向へ位置ズレしていることを要旨とする。
【０００７】
これによれば、正極集電体を挟む両方の正極活物質層のうち、上壁部に近い一方の正極活物質層の上部には他方の正極活物質層が重ならない非重合部が存在する。このため、注液口からケース内に電解液が注入されたとき、電解液は両方の正極活物質層の上端縁に加え、一方の正極活物質層の非重合部からも含浸していく。このため、両方の正極活物質層の上端縁が上下方向に位置ズレしていない場合と比べると、正極活物質層に対する電解液の接触面積を増やして、電解液を正極活物質層に効率良く含浸させることができる。
【０００８】
同様に、負極集電体を挟む両方の負極活物質層のうち、上壁部に近い一方の負極活物質層の上部には他方の負極活物質層が重ならない非重合部が存在する。このため、注液口からケース内に電解液が注入されたとき、電解液は両方の負極活物質層の上端縁に加え、一方の負極活物質層の非重合部からも含浸していく。このため、両方の負極活物質層の上端縁が上下方向に位置ズレしていない場合と比べると、負極活物質層に対する電解液の接触面積を増やして、電解液を負極活物質層に効率良く含浸させることができる。
【０００９】
前記蓄電装置は二次電池である。
【発明の効果】
【００１０】
本発明によれば、電解液を正極活物質層及び負極活物質層に効率良く含浸させることができる。
【図面の簡単な説明】
【００１１】
【図１】実施形態の二次電池を示す分解斜視図。
【図２】電極組立体の構成要素を示す分解斜視図。
【図３】電極組立体を示す縦断面図。
【図４】電極製造装置を模式的に示す図。
【図５】塗工装置による活物質合剤の塗工状態を示す図。
【図６】加圧装置による加圧工程を示す図。
【図７】電極材料の負極電極を示す平面図。
【発明を実施するための形態】
【００１２】
以下、蓄電装置を二次電池に具体化した実施形態を図１〜図７にしたがって説明する。
図１に示すように、蓄電装置としての二次電池１０は、ケース１１を備える。二次電池１０は、ケース１１に収容された電極組立体１２及び電解液（図示せず）を備える。ケース１１は、直方体状のケース本体１３と、ケース本体１３の開口部１３ａを閉塞する矩形平板状の蓋１４とを有する。ケース１１を構成するケース本体１３と蓋１４は、何れも金属製（例えば、ステンレスやアルミニウム）である。また、本実施形態の二次電池１０は、その外観が角型をなす角型電池である。また、本実施形態の二次電池１０は、リチウムイオン二次電池である。
【００１３】
二次電池１０は、電極組立体１２から電気を取り出すための正極端子１５と負極端子１６を備える。正極端子１５と負極端子１６は、蓋１４に所定の間隔をあけて並設された一対の孔１４ａからケース１１の外部に露出される。また、正極端子１５及び負極端子１６には、ケース１１から絶縁するためのリング状の絶縁リング１７ａがそれぞれ取り付けられている。
【００１４】
蓋１４は、その厚さ方向に貫通する丸孔状の注液口１４ｃを備える。注液口１４ｃは、ケース１１に電解液を注入するために用いられる。本実施形態では、蓋１４がケース１１の上壁部を構成している。注液口１４ｃは、封止部材１９によって封止され、注液口１４ｃのシール性が維持されている。
【００１５】
図２又は図３に示すように、電極組立体１２は、矩形シート状の複数の正極電極２０と、矩形シート状の複数の負極電極２１と、矩形シート状の複数のセパレータ２８とを備える。電極組立体１２は、セパレータ２８を挟んで正極電極２０と負極電極２１とが交互に積み重ねられた積層構造を有し、正極電極２０と負極電極２１が積層された方向を積層方向とする。電極組立体１２は、直方体状をなす。
【００１６】
正極電極２０は、矩形シート状の正極集電体としての正極金属箔（例えばアルミニウム箔）２２と、正極金属箔２２の一面に存在する第１正極活物質層２３ａと、正極金属箔２２の他面に存在する第２正極活物質層２３ｂとを有する。
【００１７】
正極電極２０は、正極金属箔２２の一対の長辺に沿う縁部のうちの一方の縁部に第１正極縁部２０ａを備えるとともに、他方の縁部に第２正極縁部２０ｂを備える。第１正極縁部２０ａと第２正極縁部２０ｂを最短距離で結ぶ方向を上下方向Ｈとする。さらに、正極電極２０は、正極金属箔２２の第１正極縁部２０ａと第２正極縁部２０ｂとを繋ぐ一対の短辺に沿う縁部のうちの一方の縁部に第３正極縁部２０ｃを備え、第３正極縁部２０ｃの対辺となる他方の縁部に第４正極縁部２０ｄを備える。第３正極縁部２０ｃと第４正極縁部２０ｄを最短距離で結ぶ方向を幅方向Ｗとする。
【００１８】
正極電極２０は、第１正極縁部２０ａ及び第２正極縁部２０ｂに沿って正極金属箔２２の露出した正極未塗工部２０ｆを備える。正極未塗工部２０ｆは、正極金属箔２２において第１及び第２正極活物質層２３ａ，２３ｂが存在せず、正極金属箔２２そのもので構成された部分である。第１正極縁部２０ａに沿う正極未塗工部２０ｆは、矩形状の正極タブ２４を含む。
【００１９】
上下方向Ｈに沿う第１正極活物質層２３ａの寸法と第２正極活物質層２３ｂの寸法は同じであり、幅方向Ｗに沿う第１正極活物質層２３ａの寸法と第２正極活物質層２３ｂの寸法は同じである。第１正極活物質層２３ａと第２正極活物質層２３ｂとは、上下方向Ｈに相対的に位置ズレしている。第１正極活物質層２３ａ及び第２正極活物質層２３ｂは、第１正極縁部２０ａ寄りの端縁に第１正極端縁２３ｆを有し、第２正極縁部２０ｂ寄りの端縁に第２正極端縁２３ｇを有する。第１正極活物質層２３ａの第１正極端縁２３ｆは、第２正極活物質層２３ｂの第１正極端縁２３ｆよりも上下方向Ｈの上側に位置している。よって、第１正極活物質層２３ａの第２正極端縁２３ｇも、第２正極活物質層２３ｂの第２正極端縁２３ｇよりも上下方向Ｈの上側に位置している。したがって、第１正極活物質層２３ａの第１正極端縁２３ｆの方が、第２正極活物質層２３ｂの第１正極端縁２３ｆよりも蓋１４に近い。なお、第１正極活物質層２３ａと第２正極活物質層２３ｂとは、幅方向Ｗには位置ズレしていない。
【００２０】
正極電極２０は、第１正極活物質層２３ａの上部に上側非重合部２３ｃを備える。上側非重合部２３ｃは、正極電極２０の厚さ方向において第２正極活物質層２３ｂが重ならない部分であり、正極金属箔２２のみに重なっている部分である。上側非重合部２３ｃは、正極電極２０の上下方向Ｈに一定幅を有し、かつ正極電極２０の幅方向Ｗ全体に亘って存在する。また、正極電極２０は第２正極活物質層２３ｂの下部に下側非重合部２３ｄを備える。下側非重合部２３ｄは、正極電極２０の厚さ方向において第１正極活物質層２３ａが重ならない部分であり、正極金属箔２２のみに重なっている部分である。下側非重合部２３ｄは、正極電極２０の上下方向Ｈに一定幅を有し、かつ正極電極２０の幅方向Ｗ全体に亘って存在する。
【００２１】
負極電極２１は、矩形シート状の負極集電体としての負極金属箔（例えば銅箔）２５と、負極金属箔２５の一面に存在する第１負極活物質層２６ａと、負極金属箔２５の他面に存在する第２負極活物質層２６ｂとを有する。
【００２２】
負極電極２１は、負極金属箔２５の一対の長辺に沿う縁部のうちの一方の縁部に第１負極縁部２１ａを備えるとともに、他方の縁部に第２負極縁部２１ｂを備える。第１負極縁部２１ａと第２負極縁部２１ｂを最短距離で結ぶ方向を上下方向Ｈとする。さらに、負極電極２１は、負極金属箔２５の第１負極縁部２１ａと第２負極縁部２１ｂ同士を繋ぐ一対の短辺に沿う縁部のうちの一方の縁部に第３負極縁部２１ｃを備え、第３負極縁部２１ｃの対辺となる他方の縁部に第４負極縁部２１ｄを備える。第３負極縁部２１ｃと第４負極縁部２１ｄを最短距離で結ぶ方向を幅方向Ｗとする。
【００２３】
負極電極２１は、第１負極縁部２１ａ及び第２負極縁部２１ｂに沿って負極金属箔２５の露出した負極未塗工部２１ｆを備える。負極未塗工部２１ｆは、負極金属箔２５において第１及び第２負極活物質層２６ａ，２６ｂが存在せず、負極金属箔２５そのもので構成された部分である。第１負極縁部２１ａに沿う負極未塗工部２１ｆは、矩形状の負極タブ２７を含む。
【００２４】
上下方向Ｈに沿う第１負極活物質層２６ａの寸法と第２負極活物質層２６ｂの寸法は同じであり、幅方向Ｗに沿う第１負極活物質層２６ａの寸法と第２負極活物質層２６ｂの寸法は同じである。第１負極活物質層２６ａと第２負極活物質層２６ｂとは、上下方向Ｈに相対的に位置ズレしている。第１負極活物質層２６ａ及び第２負極活物質層２６ｂは、第１負極縁部２１ａ寄りの端縁に第１負極端縁２６ｆを有し、第２負極縁部２１ｂ寄りの端縁に第２負極端縁２６ｇを有する。第１負極活物質層２６ａの第１負極端縁２６ｆは、第２負極活物質層２６ｂの第１負極端縁２６ｆよりも上下方向Ｈの上側に位置している。よって、第１負極活物質層２６ａの第２負極端縁２６ｇも、第２負極活物質層２６ｂの第２負極端縁２６ｇよりも上下方向Ｈの上側に位置している。したがって、第１負極活物質層２６ａの第１負極端縁２６ｆの方が、第２負極活物質層２６ｂの第１負極端縁２６ｆよりも蓋１４に近い。なお、第１負極活物質層２６ａと第２負極活物質層２６ｂとは、幅方向Ｗには位置ズレしていない。
【００２５】
負極電極２１は、第１負極活物質層２６ａの上部に上側非重合部２６ｃを備える。上側非重合部２６ｃは、負極電極２１の厚さ方向において第２負極活物質層２６ｂが重ならない部分であり、負極金属箔２５のみに重なっている部分である。上側非重合部２６ｃは、負極電極２１の上下方向Ｈに一定幅を有し、かつ負極電極２１の幅方向Ｗ全体に亘って存在する。また、負極電極２１は第２負極活物質層２６ｂの下部に下側非重合部２６ｄを備える。下側非重合部２６ｄは、負極電極２１の厚さ方向において第１負極活物質層２６ａが重ならない部分であり、負極金属箔２５のみに重なっている部分である。下側非重合部２６ｄは、負極電極２１の上下方向Ｈに一定幅を有し、かつ負極電極２１の幅方向Ｗ全体に亘って存在する。
【００２６】
第１正極活物質層２３ａ及び第２正極活物質層２３ｂの上下方向Ｈへの寸法は、第１負極活物質層２６ａ及び第２負極活物質層２６ｂの上下方向Ｈへの寸法より小さい。また、第１正極活物質層２３ａ及び第２正極活物質層２３ｂの幅方向Ｗへの寸法は、第１負極活物質層２６ａ及び第２負極活物質層２６ｂの幅方向Ｗへの寸法より小さい。したがって、第１正極活物質層２３ａ及び第２正極活物質層２３ｂは、第１負極活物質層２６ａ及び第２負極活物質層２６ｂよりも一回り小さい。
【００２７】
図１に示すように、各正極電極２０は、それぞれの正極タブ２４が電極組立体１２の積層方向に沿って列状に配置されるように積層される。同様に、各負極電極２１は、それぞれの負極タブ２７が、正極タブ２４と重ならないように電極組立体１２の積層方向に沿って列状に配置されるように積層される。そして、各正極タブ２４は、電極組立体１２における積層方向の一端から他端までの範囲に集められて正極タブ群２４ａとされる。正極タブ群２４ａには、正極端子１５が電気的に接合される。また、各負極タブ２７も同様に、電極組立体１２における積層方向の一端から他端までの範囲に集められて負極タブ群２７ａとされる。負極タブ群２７ａには、負極端子１６が電気的に接続される。
【００２８】
正極電極２０と負極電極２１の積層方向において、セパレータ２８を挟んで第１正極活物質層２３ａの全面に第１負極活物質層２６ａが対向するとともに、セパレータ２８を挟んで第２正極活物質層２３ｂの全面に第２負極活物質層２６ｂが対向している。
【００２９】
電極組立体１２は、蓋１４に対向した端面に正極タブ群２４ａ及び負極タブ群２７ａが存在するタブ側端面１２ａを備える。タブ側端面１２ａは、積層方向の一端から他端に向けて、第１負極活物質層２６ａの第１負極端縁２６ｆ、負極金属箔２５の第１負極縁部２１ａ、第２負極活物質層２６ｂの第１負極端縁２６ｆ、セパレータ２８の上端縁、第２正極活物質層２３ｂの第１正極端縁２３ｆ、正極金属箔２２の第１正極縁部２０ａ、第１正極活物質層２３ａの第１正極端縁２３ｆの順番で並んでいる。第１正極活物質層２３ａと第２正極活物質層２３ｂとは、上下方向Ｈに相対的に位置ズレし、第１負極活物質層２６ａと第２負極活物質層２６ｂとは、上下方向Ｈに相対的に位置ズレしている。このため、タブ側端面１２ａにおいて、第１正極活物質層２３ａと、第２正極活物質層２３ｂと、第１負極活物質層２６ａと、第２負極活物質層２６ｂとは、積層方向に沿って階段状である。
【００３０】
電極組立体１２は、ケース本体１３の底壁の内面に対向した端面に底側端面１２ｂを備える。底側端面１２ｂは、積層方向の一端から他端に向けて、第１負極活物質層２６ａの第２負極端縁２６ｇ、負極金属箔２５の第２負極縁部２１ｂ、第２負極活物質層２６ｂの第２負極端縁２６ｇ、セパレータ２８の下端縁、第２正極活物質層２３ｂの第２正極端縁２３ｇ、正極金属箔２２の第２正極縁部２０ｂ、第１正極活物質層２３ａの第２正極端縁２３ｇの順番で並んでいる。第１正極活物質層２３ａと第２正極活物質層２３ｂとは、上下方向Ｈに相対的に位置ズレし、第１負極活物質層２６ａと第２負極活物質層２６ｂとは、上下方向Ｈに相対的に位置ズレしている。このため、底側端面１２ｂにおいて、第１正極活物質層２３ａと、第２正極活物質層２３ｂと、第１負極活物質層２６ａと、第２負極活物質層２６ｂとは、積層方向に沿って階段状である。
【００３１】
図１に示すように、二次電池１０は、電極組立体１２を覆う絶縁シートとしての絶縁フィルム３９を備える。絶縁フィルム３９は、例えばポリプロピレン（ＰＰ）製である。絶縁フィルム３９は、電極組立体１２のタブ側端面１２ａを除く５面を覆っている。
【００３２】
次に、正極電極２０及び負極電極２１のうちの負極電極２１の製造方法について説明する。なお、正極電極２０の製造方法は説明を省略するが、以下の説明において、負極電極２１を正極電極２０と読み替えることにより、正極電極２０の製造方法となる。
【００３３】
図４に示すように、負極電極２１の製造方法は、負極金属箔２５の材料である帯状の長尺金属箔４０の表面に、活物質、導電材、バインダ、及び溶媒を混練した活物質合剤４１を連続塗工して帯状の塗工部４２を形成する塗布工程を有する。負極電極２１の製造方法は、塗工部４２を加熱して、活物質合剤４１に含まれる溶媒を蒸発させるとともにバインダを硬化させる乾燥工程を有する。加えて、負極電極２１の製造方法は、塗工部４２を圧縮し、活物質密度を高める加圧工程と、塗工部４２及び露出部４０ａを個片の負極電極２１の形状に切断する切断工程を有する。
【００３４】
次に、上記塗布工程、乾燥工程及び加圧工程を行い、負極電極２１の前駆体である電極材料４３を製造する電極製造装置３０について説明する。
図４に示すように、電極製造装置３０は、長尺金属箔４０を長手方向に搬送する搬送装置３１と、長尺金属箔４０に活物質合剤４１を塗布して上記塗布工程を行い、塗工部４２を形成する塗工装置３２と、塗工部４２を乾燥する乾燥装置３３と、塗工部４２を加圧する加圧装置３４とを備える。
【００３５】
長尺金属箔４０は、負極電極２１の負極金属箔２５、負極未塗工部２１ｆ及び正極タブ２４を形成する。なお、図７に示すように、長尺金属箔４０の短手方向への寸法は、負極電極２１の上下方向Ｈに沿った負極タブ２７の先端から第２負極縁部２１ｂまでの寸法より若干長い。
【００３６】
図４に示すように、搬送装置３１は、供給リール３１ａを備える。長尺金属箔４０は長手方向が供給リール３１ａの周方向に延びる状態で供給リール３１ａに巻装されている。供給リール３１ａは、図示しない支持装置によって回転可能に支持されている。
【００３７】
また、搬送装置３１は、巻取リール３１ｂを備える。長尺金属箔４０は長手方向が巻取リール３１ｂの周方向に延びる状態で巻き取られる。巻取リール３１ｂは、図示しない支持装置によって回転可能に支持されている。供給リール３１ａから供給された長尺金属箔４０が、回転する巻取リール３１ｂに巻き取られることにより、長尺金属箔４０は一定の送り速度で長手方向に搬送される。また、長尺金属箔４０が搬送される方向を搬送方向Ｘとする。
【００３８】
電極製造装置３０は、長尺金属箔４０の搬送方向Ｘにおける供給リール３１ａより下流に第１テンションローラ３０ａを有する。第１テンションローラ３０ａは、供給リール３１ａから斜め上方に向けて供給された長尺金属箔４０が横方向に搬送されるように向きを変更する。
【００３９】
電極製造装置３０は、長尺金属箔４０の搬送方向Ｘにおける巻取リール３１ｂより上流に第２テンションローラ３０ｂを有する。第２テンションローラ３０ｂは、搬送される長尺金属箔４０が斜め下方の巻取リール３１ｂに向かうように向きを変更する。
【００４０】
塗布工程を実行する塗工装置３２は、長尺金属箔４０の搬送方向Ｘにおける第１テンションローラ３０ａより下流に配置されている。塗工装置３２は、ダイヘッドを備えるスリット式の塗工装置である。
【００４１】
図５に示すように、塗工装置３２は、ボディ３２ａの内側に貯留された活物質合剤４１を吐出するためのスリット（図示せず）を有する。スリットは、ボディ３２ａの横幅方向全体に亘って存在する。塗工装置３２は、長尺金属箔４０の両面に対向するように長尺金属箔４０の上方及び下方に配置されている。塗工装置３２は、搬送される長尺金属箔４０の両面に活物質合剤４１を塗布する。
【００４２】
上側の塗工装置３２と下側の塗工装置３２とは、長尺金属箔４０の短手方向にズレて配置されている。上側の塗工装置３２において、長尺金属箔４０の短手方向へのスリットの寸法は、第１負極活物質層２６ａの上下方向Ｈへの寸法に設定され、下側の塗工装置３２において、長尺金属箔４０の短手方向へのスリットの寸法は、第２負極活物質層２６ｂの上下方向Ｈの寸法に設定されている。
【００４３】
スリットの長手方向一端は、長尺金属箔４０の短手方向一端より内側に位置し、スリットの長手方向他端は、長尺金属箔４０の短手方向他端より内側に位置している。
そして、図７に示すように、塗工装置３２から吐出された活物質合剤４１は、長尺金属箔４０に直線状に塗布される。長尺金属箔４０が送られていくことにより、長尺金属箔４０の両面には帯状に延びる塗工部４２が形成される。塗工部４２の短手方向の一方の端縁は、第１負極端縁２６ｆを形成することとなり、短手方向の他方の端縁は、第２負極端縁２６ｇを形成することとなる。長尺金属箔４０の短手方向における塗工部４２の第１負極端縁２６ｆ及び第２負極端縁２６ｇより外側には、長尺金属箔４０そのもので形成された露出部４０ａが形成される。そして、一方の露出部４０ａにより、負極タブ２７及び負極未塗工部２１ｆが形成され、他方の露出部４０ａにより、負極未塗工部２１ｆが形成される。
【００４４】
図４に示すように、乾燥工程を実行する乾燥装置３３は、搬送方向Ｘにおける両方の塗工装置３２より下流に配置されている。乾燥装置３３の内部には、高温の熱媒体（例えば空気や窒素ガスなどの気体）が外部から供給される。そして、乾燥工程において、塗工部４２は、同乾燥装置３３の内部を通過する過程で乾燥される。これにより、活物質合剤４１に含まれる溶媒が蒸発するとともに、熱によりバインダの硬化が始まり、活物質や導電材が相互に固定される。その結果、長尺金属箔４０と塗工部４２を有する電極材料４３が製造される。
【００４５】
加圧工程を実行する加圧装置３４は、搬送方向Ｘにおける乾燥装置３３より下流側に配置されている。図６に示すように、加圧装置３４は、長尺金属箔４０を上下方向から挟むプレスローラ３４ａによって構成されている。一対のプレスローラ３４ａの間を電極材料４３が通過することにより、塗工部４２が圧縮されるとともに、活物質密度が高められる。
【００４６】
加圧工程において、両方の塗工部４２にはプレスローラ３４ａにより大きな加圧力が作用するが、長尺金属箔４０のうち塗工部４２が設けられた部分と露出部４０ａとでは、塗工部４２が設けられた部分の方が厚い。このため、塗工部４２には加圧力が作用するが、露出部４０ａには加圧力がほとんど作用しない。
【００４７】
しかし、両方の塗工部４２には、短手方向にズレが存在するため、電極材料４３の厚さ方向において露出部４０ａの一部に塗工部４２の一部が重なっている。よって、露出部４０ａと塗工部４２との境界付近は、重なる塗工部４２によって補強され、露出部４０ａにおける塗工部４２との境界付近に皺が生じることを抑制する。
【００４８】
その後、図７の２点鎖線に沿って電極材料４３が切断され、電極材料４３が個片の負極電極２１の形状に切断される。
次に、二次電池１０の製造工程について作用とともに説明する。
【００４９】
なお、ケース１１に電極組立体１２を収納するまでの工程については、公知の方法により行うため、その詳細な説明を省略する。ケース１１に電極組立体１２を収納した後に、注液口１４ｃからケース１１内を減圧した後、ケース１１内へ電解液を注入する（注液工程）。その後、注液口１４ｃを図示しない仮封止部材で仮封止する（仮封止工程）。そして、電解液が第１及び第２正極活物質層２３ａ，２３ｂと、第１及び第２負極活物質層２６ａ，２６ｂに浸透した後、ケース１１を拘束して初期充電を行う（初期充電工程）。引き続き、二次電池１０をエージング温度にまで昇温させた状態で所定時間放置する（エージング工程）。その後、注液口１４ｃから仮封止部材を除去して注液口１４ｃを開放し、エージング工程においてケース１１内で発生したガスを、注液口１４ｃからケース１１外へ放出する（ガス抜き工程）。そして、注液口１４ｃを封止部材１９で封止する（本封止工程）。これにより、二次電池１０が完成する。
【００５０】
上記実施形態によれば、以下のような作用効果を得ることができる。
（１）第１正極活物質層２３ａと第２正極活物質層２３ｂとでは、第１正極端縁２３ｆが上下方向Ｈに位置ズレしている。そして、正極電極２０の第１正極活物質層２３ａには、第２正極活物質層２３ｂと重ならない上側非重合部２３ｃが設けられている。このため、電解液の注液工程では、第１及び第２正極活物質層２３ａ，２３ｂの第１正極端縁２３ｆに加え、上側非重合部２３ｃからもセパレータ２８を介して電解液を第１正極活物質層２３ａに含浸させることができる。このため、第１及び第２正極活物質層２３ａ，２３ｂの第１正極端縁２３ｆが上下方向Ｈに揃っている場合と比べると、第１正極活物質層２３ａと電解液との接触面積を増やして、電解液を第１正極活物質層２３ａに効率良く含浸させることができる。
【００５１】
同様に、第１負極活物質層２６ａと第２負極活物質層２６ｂとでは、第１負極端縁２６ｆが上下方向Ｈに位置ズレしている。そして、負極電極２１の第１負極活物質層２６ａには、第２負極活物質層２６ｂと重ならない上側非重合部２６ｃが設けられている。このため、電解液の注液工程では、第１及び第２負極活物質層２６ａ，２６ｂの第１負極端縁２６ｆに加え、上側非重合部２６ｃからもセパレータ２８を介して電解液を第１負極活物質層２６ａに含浸させることができる。このため、第１及び第２負極活物質層２６ａ，２６ｂの第１負極端縁２６ｆが上下方向Ｈに揃っている場合と比べると、第１負極活物質層２６ａと電解液との接触面積を増やして、電解液を第１負極活物質層２６ａに効率良く含浸させることができる。
【００５２】
（２）第１正極活物質層２３ａと第２正極活物質層２３ｂは上下方向Ｈへの寸法が同じであり、第１負極活物質層２６ａと第２負極活物質層２６ｂも上下方向Ｈへの寸法が同じである。正極電極２０又は負極電極２１の製造時、活物質合剤４１を長尺金属箔４０の両面に塗布する。このとき、同じ塗工装置３２を用いて活物質合剤の塗布を行うことができ、正極電極２０及び負極電極２１の製造が容易となる。
【００５３】
本実施形態は、以下のように変更して実施することができる。本実施形態及び以下の変更例は、技術的に矛盾しない範囲で互いに組み合わせて実施することができる。
○  正極電極２０と負極電極２１とで、セパレータ２８を挟んで対向する活物質層を変更してもよい。つまり、第１正極活物質層２３ａが第２負極活物質層２６ｂに対向し、第２正極活物質層２３ｂが第１負極活物質層２６ａに対向するように、正極電極２０と負極電極２１を交互に積み重ねてもよい。
【００５４】
○  第１負極活物質層２６ａ及び第２負極活物質層２６ｂの上下方向Ｈへの寸法と、第１正極活物質層２３ａ及び第２正極活物質層２３ｂの上下方向Ｈへの寸法とを同じにしてもよい。要は、第１正極活物質層２３ａ又は第２正極活物質層２３ｂの全面が第１負極活物質層２６ａ又は第２負極活物質層２６ｂに対向していれば、第１負極活物質層２６ａ及び第２負極活物質層２６ｂの上下方向Ｈへの寸法と、第１正極活物質層２３ａ及び第２正極活物質層２３ｂの上下方向Ｈへの寸法は適宜変更してもよい。
【００５５】
○  蓄電装置は、二次電池１０でなく、電気二重層キャパシタ等の他の蓄電装置に適用してもよい。
○  二次電池１０は、リチウムイオン二次電池であったが、これに限らず、他の二次電池であってもよい。要するに、正極活物質と負極活物質との間をイオンが移動するとともに電荷の授受を行うものであればよい。
【００５６】
○  正極電極２０の正極金属箔２２により構成される集電体は、第１正極活物質層２３ａ及び第２正極活物質層２３ｂが形成できるものであれば任意に変更してもよい。例えば、織物状や網状のシートにより集電体を構成してもよい。同様に、負極電極２１の負極金属箔２５により構成される集電体は、第１負極活物質層２６ａ及び第２負極活物質層２６ｂが形成できるものであれば任意に変更してもよい。例えば、織物状や網状のシートにより集電体を構成してもよい。
【００５７】
○  ケース本体１３が側方に開口部１３ａを有し、蓋１４が開口部１３ａを側方から閉塞するケース１１において、ケース本体１３の上壁部に注液口１４ｃを設けてもよい。
【符号の説明】
【００５８】
１０…蓄電装置としての二次電池、１１…ケース、１２…電極組立体、１４…上壁部としての蓋、１４ｃ…注液口、２０…正極電極、２１…負極電極、２２…正極集電体としての正極金属箔、２３ａ…第１正極活物質層、２３ｂ…第２正極活物質層、２５…負極集電体としての負極金属箔、２６ａ…第１負極活物質層、２６ｂ…第２負極活物質層、２８…セパレータ。
【図１】
2020087857.tif 000003
【図２】
2020087857.tif 000004
【図３】
2020087857.tif 000005
【図４】
2020087857.tif 000006
【図５】
2020087857.tif 000007
【図６】
2020087857.tif 000008
【図７】
2020087857.tif 000009